(57)【特許請求の範囲】
【請求項１】
インフレータから供給されるガスによって膨張するチャンバーを有し、車両内の側部にてカーテン状に膨張展開して乗員を保護するサイドカーテンエアバッグであって、
膨張して乗員を保護する一次チャンバーと、膨張展開後前記サイドカーテンエアバッグに張力を付与する二次チャンバーと、前記サイドカーテンエアバッグの当該車両の前後で一端を接合端で当該サイドカーテンエアバッグに取り付けられ他端を固定端で当該車両に取り付けられる一組の紐とを有し、
前記一次チャンバーは、前記インフレータからのガスの供給口である第１開口を有し、且つ、前記インフレータからのガスの流入によって膨張し、
前記二次チャンバーは、前記インフレータからのガスの供給口である第２開口を有し、且つ、前記インフレータからのガスの流入によって膨張し、
前記一次チャンバーに遅れて前記二次チャンバーが展開するよう、前記第２開口の面積が前記第１開口の面積より小さく、
前記サイドカーテンエアバッグの膨張展開時に、前記一組の紐の互いの固定端を連結した第一仮想線と前記一組の紐の互いの接合端を連結した第二仮想線とで形成した仮想の帯領域、または、前記一組の紐の取り付け部の互いの上端を連桔した第一仮想線と前記一組の紐の取り付け部の互いの下端を結んだ第二仮想線とで形成される仮想の帯領域、または、前記一方の紐の取り付け部の上端と他方の紐の固定端とを連結した第１仮想線と前記一組の紐の取り付け部の互いの下端を連結した第二仮想線とで形成される仮想の帯領域と前記一次チャンバー及び前記二次チャンバーの一部又は全部とが重なる位置に、前記一次チャンバー及び前記二次チャンバーが設けられ、
前記二次チャンバーは、前記仮想の帯領域において、前記一次チャンバーと前記車両の前後方向に並列にならんで、前記一次チャンバーの膨張部の前側または後側に設けられていることを特徴とするサイドカーテンエアバッグ。
【請求項２】
インフレータから供給されるガスによって膨張するチャンバーを有し、車両内の側部にてカーテン状に膨張展開して乗員を保護するサイドカーテンエアバッグであって、
膨張して乗員を保護する一次チャンバーと、膨張展開後前記サイドカーテンエアバッグに張力を付与する二次チャンバーと、前記サイドカーテンエアバッグの当該車両の前後で一端を接合端で当該サイドカーテンエアバッグに取り付けられ他端を固定端で当該車両に取り付けられる一組の紐とを有し、
前記一次チャンバーは、前記インフレータからのガスの供給口である第１開口を有し、且つ、前記インフレータからのガスの流入によって膨張し、
前記二次チャンバーは、前記インフレータからのガスの供給口である第２開口を有し、且つ、前記インフレータからのガスの流入によって膨張し、
前記一次チャンバーに遅れて前記二次チャンバーが展開するよう、前記第２開口の面積が前記第１開口の面積より小さく、
前記サイドカーテンエアバッグの膨張展開時に、前記一組の紐の互いの固定端を連結した第一仮想線と前記一組の紐の互いの接合端を連結した第二仮想線とで形成した仮想の帯領域、または、前記一組の紐の取り付け部の互いの上端を連桔した第一仮想線と前記一組の紐の取り付け部の互いの下端を結んだ第二仮想線とで形成される仮想の帯領域、または、前記一方の紐の取り付け部の上端と他方の紐の固定端とを連結した第１仮想線と前記一組の紐の取り付け部の互いの下端を連結した第二仮想線とで形成される仮想の帯領域と前記一次チャンバー及び前記二次チャンバーの一部又は全部とが重なる位置に、前記一次チャンバー及び前記二次チャンバーが設けられ、
前記二次チャンバーは、前記仮想の帯領域内の非膨張部に設けられていることを特徴とするサイドカーテンエアバッグ。
【請求項３】
前記二次チャンバーは、前記車両の前側または後側の非膨張部に少なくとも１つ設けられていることを特徴とする請求項２に記載のサイドカーテンエアバッグ。
【請求項４】
前記第２開口は、開口度によって、前記二次チャンバーの膨張する時間を制御することを特徴とする請求項１〜３のいずれか一項に記載のサイドカーテンエアバッグ。
【請求項５】
前記第２開口は、前記一次チャンバーに通じ、
前記第二チャンバーは、前記一次チャンバーからのガスの流入によって膨張することを特徴とする請求項１〜４のいずれか一項に記載のサイドカーテンエアバッグ。
【請求項６】
前記車両の前後方向に沿って、前記インフレータからのガスを前記一次チャンバーに供給するガス供給通路が形成され、
前記ガス供給通路の後端側に、前記インフレータからガスを供給するガス供給口を設け、
前記二次チャンバーは、前記車両の最前端に位置する前記一次チャンバーの前側に、前記一次チャンバーと前後方向に並べて配置されることを特徴とする請求項１〜５のいずれか一項に記載のサイドカーテンエアバッグ。
【請求項７】
前記車両の前後方向に沿って、前記インフレータからのガスを前記一次チャンバーに供給するガス供給通路が形成され、
前記ガス供給通路の後端側に、前記インフレータからガスを供給するガス供給口を設け、
前記二次チャンバーは、前記車両の最後端に位置する前記一次チャンバーの後側に、前記一次チャンバーと前後方向に並べて配置されることを特徴とする請求項１〜５のいずれか一項に記載のサイドカーテンエアバッグ。
【請求項８】
衝突初期に、前記一次チャンバーが膨張展開され、前記一次チャンバーの内圧が最大になり、
前記衝突初期から衝突後期までは、前記第２開口を介して、前記二次チャンバーにガスが供給され続けて、前記二次チャンバーが膨張するに従い、前記一次チャンバーの内圧が減少し、
前記衝突後期に、前記二次チャンバーが膨張展開され、前記一次チャンバーと前記二次チャンバーの内圧がほぼ等しくなることを特徴とする請求項１〜７のいずれか一項に記載のサイドカーテンエアバッグ。
【請求項９】
前記衝突初期とは、衝突を検知してから０〜１００ｍＳｅｃの間であり、
前記衝突後期とは、衝突を検知してから４〜６Ｓｅｃの間であることを特徴とする請求項８に記載のサイドカーテンエアバッグ。
【発明の詳細な説明】
【技術分野】
【０００１】
本発明は、車両の側面衝突または転倒事故の間に膨張展開して、車両の乗員の頭部或いは乗員が車両から投げ出されることなどを防止する事によって保護するために設計されたサイドカーテンエアバッグに関する。
【背景技術】
【０００２】
従来のサイドカーテンエアバッグ（以下、単にエアバッグと称す。）として次のようなものが挙げられる。
【特許文献１】特開2001-270413 号公報
【特許文献２】特開2001-233155 号公報
【特許文献３】特開2001-328503 号公報
【特許文献４】特開2002-283949 号公報
【特許文献５】特表2002-503581 号公報
【０００３】
サイドカーテンエアバッグモジュール100 は、図8 に示すように、車両内のルーフサイドレール101 に沿って取り付けられている。
衝突時、図9 に示すように、サイドカーテンエアバッグモジュール100 内のエアバッグ103 が、インフレータ102 から供給されるガスによって、乗員とドア等の車両内側面構成物との間にカーテン状に膨張展開して側面から乗員を保護する。
このようなエアバッグ103 は、衝突初期、膨張展開して乗員の頭部等に接触して乗員を保護するので、膨張展開する時、エアバッグ103 全体の膨張力があまり高くて硬いと乗員へ障害を与える可能性が生じる。そのためエアバッグ全体の膨張力は、衝突初期、即ち、膨張展開するときは比較的低く軟らかいことが望まれる。【０００４】
一方、衝突後期、車両が転倒して乗員が車外へ投げ出されることを抑止するために、衝突から所定時間経過後、即ち、エアバッグ103 が展開した後は、乗員の車外への投げ出しを防止する必要性から、エアバッグ103 が比較的高い張力を持ってカーテン状に前後方向に拡がった状態を維持することが要求される。そのため、エアバッグ103 の下部の前後には前後方向に拡がった状態を維持する紐104 を取り付けられている。紐104 の一端はエアバッグ103 に、その他端は車体に取り付けられている。
【発明の開示】
【発明が解決しようとする課題】
【０００５】
しかしながら、このような従来のエアバッグ103 では、膨張展開した後に高い張力が要求される場合、展開がはじまる時から紐104 によって張力を高く設定するしかなく、膨張展開する時の張力は比較的低く、展開した後は比較的高くエアバッグの張力を保つという制御は難しいという問題を有していた。
本発明は、上記問題を鑑みてなされたものであって、その目的とするところは、エアバッグの張力を適正に制御することが容易なエアバッグを提供することにある。
【課題を解決するための手段】
【０００６】
本発明は、インフレータから供給されるガスによって膨張するチャンバーを有し、車両内の側部にてカーテン状に膨張展開して乗員を保護するサイドカーテンエアバッグに関する。
そして、上記目的を達成するために本発明のサイドカーテンエアバッグは、膨張して乗員を保護する一次チャンバーと、膨張展開後前記サイドカーテンエアバッグに張力を付与する二次チャンバーと、前記サイドカーテンエアバッグの当該車両の前後で一端を接合端で当該サイドカーテンエアバッグに取り付けられ他端を固定端で当該車両に取り付けられる一組の紐とを有し、前記一次チャンバーは、前記インフレータからのガスの供給口である第１開口を有し、且つ、前記インフレータからのガスの流入によって膨張し、前記二次チャンバーは、前記インフレータからのガスの供給口である第２開口を有し、且つ、前記インフレータからのガスの流入によって膨張し、前記一次チャンバーに遅れて前記二次チャンバーが展開するよう、前記第２開口の面積が前記第１開口の面積より小さく、前記サイドカーテンエアバッグの膨張展開時に、前記一組の紐の互いの固定端を連結した第一仮想線と前記一組の紐の互いの接合端を連結した第二仮想線とで形成した仮想の帯領域、または、前記一組の紐の取り付け部の互いの上端を連桔した第一仮想線と前記一組の紐の取り付け部の互いの下端を結んだ第二仮想線とで形成される仮想の帯領域、または、前記一方の紐の取り付け部の上端と他方の紐の固定端とを連結した第１仮想線と前記一組の紐の取り付け部の互いの下端を連結した第二仮想線とで形成される仮想の帯領域と前記一次チャンバー及び前記二次チャンバーの一部又は全部とが重なる位置に、前記一次チャンバー及び前記二次チャンバーが設けられ、前記二次チャンバーは、前記仮想の帯領域において、前記一次チャンバーと前記車両の前後方向に並列にならんで、前記一次チャンバーの膨張部の前側または後側に設けられていることを特徴とする。
または、上記目的を達成するために本発明のサイドカーテンエアバッグは、膨張して乗員を保護する一次チャンバーと、膨張展開後前記サイドカーテンエアバッグに張力を付与する二次チャンバーと、前記サイドカーテンエアバッグの当該車両の前後で一端を接合端で当該サイドカーテンエアバッグに取り付けられ他端を固定端で当該車両に取り付けられる一組の紐とを有し、前記一次チャンバーは、前記インフレータからのガスの供給口である第１開口を有し、且つ、前記インフレータからのガスの流入によって膨張し、前記二次チャンバーは、前記インフレータからのガスの供給口である第２開口を有し、且つ、前記インフレータからのガスの流入によって膨張し、前記一次チャンバーに遅れて前記二次チャンバーが展開するよう、前記第２開口の面積が前記第１開口の面積より小さく、前記サイドカーテンエアバッグの膨張展開時に、前記一組の紐の互いの固定端を連結した第一仮想線と前記一組の紐の互いの接合端を連結した第二仮想線とで形成した仮想の帯領域、または、前記一組の紐の取り付け部の互いの上端を連桔した第一仮想線と前記一組の紐の取り付け部の互いの下端を結んだ第二仮想線とで形成される仮想の帯領域、または、前記一方の紐の取り付け部の上端と他方の紐の固定端とを連結した第１仮想線と前記一組の紐の取り付け部の互いの下端を連結した第二仮想線とで形成される仮想の帯領域と前記一次チャンバー及び前記二次チャンバーの一部又は全部とが重なる位置に、前記一次チャンバー及び前記二次チャンバーが設けられ、前記二次チャンバーは、前記仮想の帯領域内の非膨張部に設けられていることを特徴とする。ここで、前記二次チャンバーは、前記車両の前側または後側の非膨張部に少なくとも１つ設けられていても良い。
更に、前記第２開口は、開口度によって、前記二次チャンバーの膨張する時間を制御することを特徴とする。
更に、前記第２開口は、前記一次チャンバーに通じ、前記第二チャンバーは、前記一次チャンバーからのガスの流入によって膨張することを特徴とする。
更に、前記車両の前後方向に沿って、前記インフレータからのガスを前記一次チャンバーに供給するガス供給通路が形成され、前記ガス供給通路の後端側に、前記インフレータからガスを供給するガス供給口を設け、前記二次チャンバーは、前記車両の最前端に位置する前記一次チャンバーの前側に、前記一次チャンバーと前後方向に並べて配置されることを特徴とする。あるいは、前記車両の前後方向に沿って、前記インフレータからのガスを前記一次チャンバーに供給するガス供給通路が形成され、前記ガス供給通路の後端側に、前記インフレータからガスを供給するガス供給口を設け、前記二次チャンバーは、前記車両の最後端に位置する前記一次チャンバーの後側に、前記一次チャンバーと前後方向に並べて配置されることを特徴とする。
更に、衝突初期に、前記一次チャンバーが膨張展開され、前記一次チャンバーの内圧が最大になり、前記衝突初期から衝突後期までは、前記第２開口を介して、前記二次チャンバーにガスが供給され続けて、前記二次チャンバーが膨張するに従い、前記一次チャンバーの内圧が減少し、前記衝突後期に、前記二次チャンバーが膨張展開され、前記一次チャンバーと前記二次チャンバーの内圧がほぼ等しくなることを特徴とする。ここで、前記衝突初期とは、衝突を検知してから０〜１００ｍＳｅｃの間であり、前記衝突後期とは、衝突を検知してから４〜６Ｓｅｃの間であって良い。
【発明の効果】
【０００７】
本発明のエアバッグは、膨張してエアバッグを展開させる一次チャンバーと、前記一次チャンバーに遅れて膨張し、展開したエアバッグに更に張力を付与する二次チャンバーを有し、一次チャンバーが膨らんだ後に二次チャンバーが徐々に膨らむため、エアバッグ全体の張力を徐々に高めていくことが可能である。そのため、エアバッグの張力を適正に制御することが容易である。
その結果、衝突初期、エアバッグ全体の張力が比較的低く軟らかい状態で乗員の頭部等を保護し、続いて、衝突後期、エアバッグ全体の張力が比較的高く硬く張った状態で車両の転倒等により乗員が車外へ放出されることを防止する。
また、一組の紐の互いの固定端と互いの接合端を連結した第一と第二直線で構成される仮想の帯領域、又は、一組の紐の取り付け部の互いの上端と互いの下端を連結した第一と第二直線で構成される仮想の帯領域、又は、一方の紐の取り付け部の上端と他方の紐の固定部とを連結した第一直線と一組の紐の取り付け部の互いの下端を連結した、第二直線で構成される仮想の帯領域の一部に二次チャンバーの全部かその一部が重なるように二次チャンバーを配置するものであるから、一次チャンバーの膨張展開の後に膨張する二次チャンバーによる張力が前記各々の仮想の帯領域を介して、一次チャンバーに張力を付与する方向に作用するので、エアバッグ全体の張力がより高くした状態で車両の転倒等により乗員が車外へ投げ出されることを防止する。
【発明を実施するための最良の形態】
【０００８】
以下、本発明のエアバッグ1 の実施形態例を図面に基づいて説明する。図１は第１実施形態例のエアバッグ1 の全体を示す断面図であり、図２は第１実施形態例の要部拡大断面図であり、図３は図２のエアバッグ1 のＣ−Ｃ線からみた模式断面図であり、図４は第１実施形態例の一次チャンバー3及び二次チャンバー2 の内圧変化に関するグラグを示す図である。
尚、本発明のエアバッグの実施形態例において、前後左右上下という方向は、車両内に取り付けられてカーテン状にエアバッグが膨張展開した状態の方向である。【０００９】
第1 実施形態例のエアバッグ1 は、図１に示した断面を有するシート材料と、前記断面と線対称なもう一つの断面を有するシート材料とを重ね合わせて一体にした袋状物である。
前記エアバッグ1 としては、袋状に縫製された織物等の２枚の生地から構成されるものであってもよいし、最初から袋状に織った一枚の織物であってもよい。
図１に示すエアバッグ1 において、複数の第1 前席用膨張部3,4,5,6,7 と、後席用膨張部8,9,10と、ガス供給通路11と、前非膨張部12と、中央非膨張部13と、後非膨張部14と、ルーフサイドレールへの複数の取り付け片15と、ガス供給口16、そして、二次チャンバー2 が形成されている。【００１０】
前記前席用膨張部3,4,5,6,7 は第1,第2,第3,第4,第5 という複数のチャンバー3,4,5,6,7 を含み、後席用膨張部8,9,10は第6,第7,第8 という複数のチャンバー8,9,10を含んでいる。これらの複数のチャンバー3,4,5,6,7, 8,9,10 は、衝突初期にインフレータから供給されるガスによって膨張し、エアバッグ全体を膨張展開させる一次チャンバーである。
前記ガス供給口16はエアバッグ1 の上部後端側に設けられている。前記ガス供給通路11は前記ガス供給口16からのガスが各一次チャンバー3 4,5, 6,7,8,9,10 に供給されることを可能にするために各一次チャンバー3 4,5,6,7,8,9,10の上方に設けられている。各一次チャンバー3,4,5,6,7,8,9,10は、前記ガス供給通路11に対して開口している。【００１１】
二次チャンバー2 は、前席用膨張部の最前端に位置する前記第1 チャンバー3 の更に前側で前後方向に並列にならんで設けられている。これは、前記二次チャンバー2 が、前記一次チャンバー3,4,5,6,7, 8,9,10 の膨張に遅れて膨張するとき、エアバッグ1 に実質的前後方向の張力を更に与える位置である。
前記二次チャンバー2 は、図２に示すように、前記一次チャンバーの第１チャンバー3 へ通じる開口A を有し、前記一次チャンバーの第１チャンバー3 を介してインフレータからガスが供給される。前記開口A の面積は、第１チャンバー3 の前記ガス供給通路11 へ通じる開口B の面積より小さく設定されており、前記一次チャンバー3,4,5,6,7, 8,9,10 より遅れて膨張する。前記開口A の開口度によって二次チャンバー2 の膨張する時間を制御することができる。【００１２】
エアバッグ１の前端部1aは、前非膨出部12に設けた取り付け部19に縫合した接合端18bを有し他端を車両に固定される固定端18aに連結する紐18で車体に連結してある。また、エアバッグ１の後端１bは、後誹膨張部14から後方への延出部14aに設けた取り付け部21に縫合した接合端20bを有し他端を車両に固定される固定端20aに連結する紐20を介して車体に連結してある。また、前記取り付け部19と取り付け部21は、エアバッグ１が膨張しても変形が少ない材質である金属で構成しても良く、或いはエアバッグ１が膨張に伴って変形する材料例えば、ミシンで強力に縫合して一部分補強したものでも良いものである。即ち取り付け部19,21は紐18,20とエアバッグ１との接続が保たれるものであればよいものであるが、エアバッグ１の膨張展開時には、強力な力が作用するので取り付け部19が部分的に強度が要求されるものであり、この強度を充足すれば足りる構造であればよい。なお、取り付け部19,21の下端19a,21aと上端19b,21bは、取り付け部として補強した部分の上端、下端を指すものである。【００１３】
尚この実施例では、取り付け部19,21の位置は、取り付け部19と取り付け部21を結んだ仮想線がエアバッグ１を斜めに横切るように取り付け部19より取り付け部21上方にした構成である。又、紐20の車体との固定端20aは、取り付け部21より上方に位置し、紐18と車体の車体との固定端18aは、取り付け部19とほぼ同一高さの位置する構成である。これら固定端20aと18aとを結んだ仮想線も前述同様エアバッグ１を斜めに横切る構成である。しかし、この取り付け部19,21と固定端20aと18aは、車の種類あるいはエアバッグによって様々に変化しても良い。【００１４】
このような構造のエアバッグ1において、車両の転倒或いは衝突が生じ、ガス供給口16からインフレータからのガスが供給されると、衝突初期において、一次チャンバー3,4,5,6,7,8,9,10が、エアバッグ1全体を膨張展開させる。
このときエアバッグ1全体にかかる膨張展開力は、インフレータからのガスが一次チャンバー３から開口Aを介して二次チャンバー２に供給され続けるので一次チャンバー3から10は、比較的低く制御され軟らかい展開膨張中のエアバッグ1が乗員の頭部を保護する。このため、乗員を傷つけることなく安全に保護する。
続いて、一次チャンバーに遅れて二次チャンバー2に十分なガスが供給されると、全体に膨張展開したエアバッグ1へ更に実質的前後方向の張力を与えてエアバッグ1全体にかかる張力を更に高くする。
この様に高い張力を有した状態のエアバッグ1によって衝突後期或いは車両の転倒後期において乗員をしっかり保護して乗員を車外へ投げ出すことを確実に防止する性能を向上させる。即ち車両の衝突或いは転倒時にその時期に対応してエアバッグの張力を制御するので乗員を怪我させることなくかつ車外へ投げ出しなどを確実に防止するものである。
【００１５】
図３を参照しつつ二次チャンバー2 の膨張による張力の付与の様子を説明する。図３は図２のエアバッグ1 のＣ−Ｃ線からみた模式断面図である。I は、衝突初期、即ち、衝突を検知してから約0 〜100mSec 後で、一次チャンバー3,4,5,6,7, 8,9,10 が膨張し終え、エアバッグ1を展開させ終えた状態を示す。IIは、衝突後期、即ち、衝突を検知してから約4 〜6Sec後で、二次チャンバー2 が一次チャンバー3,4,5,6,7, 8,9,10に遅れて膨張を終えた状態を示す。二次チャンバー2 の膨張によって、エアバッグ1 の前後方向の長さがx だけ縮み、展開した後のエアバッグ1 に更なる張力を付与している。【００１６】
図４に示すグラフは図１の一次チャンバー3 と二次チャンバー2 の内圧の変化を示す一例である。●が一次チャンバー3 の内圧を、▲が二次チャンバー2 の内圧を示している。二次チャンバー2 は展開開始から1000mSec後、つまり、１秒後から内圧が上がり始め、4500mSec後、一次チャンバー3 と同等の圧力となる。このように、図１に示すエアバッグ1 の形状ならば、一次チャンバー3,4,5,6,7,8,9,10が膨らんだ後にチャンバー２が徐々に膨らむため、エアバッグ1 全体の膨張力を徐々に高めていくことが可能である。【００１７】
エアバッグ１の膨張展開時において、上述した二次チャンバ−2の位置と紐18,19の取り付け部19,21及び紐18,20の固定端18a,20aとの関係により、エアバッグ１の機能を発揮する上において、重要な役割を果たすのでこの関係について、図５〜図７によって説明する。【００１８】
図５は、紐18を車両に取り付ける固定端18aと紐20を車両に取り付けるの固定端20aとを連結した第一仮想線23と、紐18の取り付け部19の接合端18bと紐20の取り付け部21との接合端20bとを連結した第二仮想線24とで形成される仮想の帯領域25に二次チャンバ−２が重なった構成である。この構成によって、前述したようにエアバッグ１にインフレ−タからのガスが供給されエアバッグ１が膨張し更に二次チャンバ−２も膨張し始めると、前記した仮想帯25によってエアバッグ１に張力が作用するので、乗員の車外への投げ出しをより確実に防止することができる。【００１９】
図6は、図５と同様な効果を目的としたものであり、紐18の取り付け部19の上端19bと紐20の取り付け部21の上端21bとを連結した第一仮想線26と、取り付け部19の下端19aと取り付け部21の下端21aとを連結した第二仮想線27とで、構成される仮想の帯領域28に二次チャンバ−２を重ねて配置した構成である。この構成によって、前述したようにエアバッグ１にインフレ−タからのガスが供給されエアバッグ１が膨張し更に二次チャンバ−２も膨張し始めると、前記した仮想の帯領域28によってエアバッグ１に張力が作用するので、乗員の車外への投げ出しをより確実に防止することができる。【００２０】
図7は、図5,6に示した構成と同様な効果を目的としたものであり、取り付け部19の上端19bと紐20の固定端20aとを連結した第一仮想線29と、取り付け部19の下端19aと取り付け部21の下端21aを連結した第二仮想線30とで構成される仮想の帯領域31に複数の二次チャンバー2,34,35が一部又は全部重なるように配置したものである。この構成によって、前述したようにエアバッグ1にインフレータからガスが供給されエアバッグ1が膨張し更に二次チャンバー2,34,35も膨張し始めると、前記した仮想の帯領域31によってエアバッグ1に張力が作用するので、乗員の車外への投げ出しをより確実に防止することができる。
尚、二次チャンバー34,35は、非膨張部13に設けて有る。この二次チャンバー34は、一次チャンバー7に開口A1を介して接続しており、二次チャンバー35は、一次チャンバー8に開口A2を介して接続しており、開口A1,A2により、各々一次チャンバーより遅れて膨張する。
更に、二次チャンバー2,34,35の配置は、その全てを備える必要なくエアバッグ１の目的機能に応じて例えば、二次チャンバー2を省く構成、または、二次チャンバー34を前記仮想の帯領域31にその一部を重ね、二次チャンバー35を仮想の帯領域31に全部重ねる構造、あるいは、二次チャンバー2,34,35の開口A,A1,A2の開口面積を適宜選択することで、各二次チャンバー2,34,35の膨張展開時間に差をつけエアバッグ1に作用する張力を制御できるので確実に乗員の保護を図るエアバッグ1を構成することができる。
【００２１】
尚、二次チャンバー2 を設ける位置は、前記第1 チャンバー3 の前側に限らず、後席用膨張部の最後端に位置する第８チャンバー10の更に後側であってもよい。また、二次チャンバー2 へのガスの供給は必ずしも一次チャンバーを介して供給させる必要はない。ガス供給口16からガス供給通路11を介して二次チャンバー2 へ供給してもよい。
言い換えれば、二次チャンバーを設ける位置及び数、そして、二次チャンバーへガスが供給されるための開口の位置、大きさは、一次チャンバーに遅れて二次チャンバーが膨張し、展開したエアバッグに更に張力を付与するように、適宜定められる。
また、一次及び二次チャンバーの数は複数に限らず、それぞれ少なくとも一つであってもよい。【００２２】
尚、本発明は、上記の好ましい実施形態に記載されているが、本発明はそれだけに制限されない。本発明の精神と範囲から逸脱することのない様々な実施形態が他になされることができることは理解されよう。
【産業上の利用分野】
【００２３】
圧縮ガスによって膨張するチャンバーとこのチャンバーの膨張とこのチャンバより遅れて膨張するチャンバを併設し、人体に対する衝撃を和らげると共に確実に受け止める用途にも適用できる。
【図面の簡単な説明】
【００２４】
【図１】本発明の第1実施形態のエアバッグの全体を示す断面図
【図２】第１実施形態の要部拡大断面図
【図３】図２のエアバッグ1 のＣ−Ｃ線からみた模式断面図
【図４】第１実施形態の一次及び二次チャンバー3,2 の内圧変化に関するグラグを示す図
【図５】仮想の帯領域と二次チャンバ−との関係を示す図
【図６】仮想の帯領域と二次チャンバ−との関係を示す図
【図７】仮想の帯領域と二次チャンバ−との関係を示す図
【図８】従来のサイドカーテンエアバッグモジュールの図面
【図９】従来のサイドカーテンエアバッグモジュールの作動を説明する図面
【符号の説明】
【００２５】
1                 サイドカーテンエアバッグ
2,34,35           二次チャンバー
3,4,5,6,7,8,9,10  一次チャンバー
A,A1,A2           開口
18,20            紐
19,21            取り付け部
18a,20a           固定端
19a,21a          上端
19b,21b          下端
23,26,29          第一仮想線
24,27,30          第二仮想線
15,28,31          仮想の帯領域
【図１】
0004481248.tif 000002
【図２】
0004481248.tif 000003
【図３】
0004481248.tif 000004
【図４】
0004481248.tif 000005
【図５】
0004481248.tif 000006
【図６】
0004481248.tif 000007
【図７】
0004481248.tif 000008
【図８】
0004481248.tif 000009
【図９】
0004481248.tif 000010